(57)【要約】    【課題】      電流消費を増大させずに複数の通信モジュールのうちユーザにとって有益な通信モジュールを選択して短時間で通信を開始すること。    【解決手段】    セルラー通信を行うセルラー通信モジュール２１０と、ＷＬＡＮ通信を行うＷＬＡＮ通信モジュール２２０と、通信開始に先立って行われるユーザ操作によりＷＬＡＮ通信モジュール２２０を起動させ、優先的にＷＬＡＮ通信システムへの接続を行う。また、ユーザ操作の内容からセルラー通信モジュール２１０およびＷＬＡＮ通信モジュール２２０のうちユーザにとって有益な通信方式の通信モジュールを選択する通信モジュール選択手段（メールサイズ判定回路２３３または起動モジュール選択回路４１０）と、前記通信モジュール選択手段が選択した通信方式の通信モジュールのみを起動させて通信を開始するように前記通信モジュールを制御する通信制御部２３０と、を具備する。  【選択図】      図２
2007082056.tif 000002
【特許請求の範囲】
【請求項１】
第１の通信方式により通信を行う第１の通信モジュールと、
第２の通信方式により通信を行う第２の通信モジュールと、を備えている複合端末において、
前記第２の通信モジュールは、ＷＬＡＮのアクセスポイントを介して通信するＷＬＡＮ通信モジュールからなり、
通信開始に先立って優先的に前記ＷＬＡＮ通信モジュールを起動させてＷＬＡＮのアクセスポイントをスキャンすることを特徴とする移動体通信複合端末装置。
【請求項２】
第１の通信方式により通信を行う第１の通信モジュールと、
第２の通信方式により通信を行う第２の通信モジュールと、
通信開始に先立って行われるユーザ操作の内容から前記第１の通信モジュールおよび前記第２の通信モジュールのうちユーザにとって有益な通信方式の通信モジュールを選択する通信モジュール選択手段と、
前記通信モジュール選択手段が選択した通信方式の通信モジュールのみを起動させて通信を開始するように通信モジュールを制御する通信制御手段と、を具備する、移動体通信端末装置。
【請求項３】
前記第１の通信モジュールは、セルラー通信ネットワークの基地局を介して通信するセルラー通信モジュールからなり、
前記第２の通信モジュールは、ＷＬＡＮのアクセスポイントを介して通信するＷＬＡＮ通信モジュールからなり、
前記通信制御手段は、前記通信モジュール選択手段が前記ＷＬＡＮ通信モジュールを選択した際に、通信開始に先立って前記ＷＬＡＮのアクセスポイントの検索動作を実施し、アクセス可能なアクセスポイントが有った場合には前記ＷＬＡＮ通信モジュールのみを起動させ、アクセス可能なアクセスポイントが無かった場合には前記アクセスポイントの検索動作を停止させて前記セルラー通信モジュールを起動させる、請求項２記載の移動体通信端末装置。
【請求項４】
ユーザ操作により作成した送信メールをユーザが指定したメール送信先の通信端末に送信するメール機能を有し、
前記通信モジュール選択手段は、前記送信メールの送信開始に先立って前記送信メールのメールサイズが予め設定した閾値以上であるか否か判定し、前記メールサイズが前記閾値以上である場合には前記ＷＬＡＮ通信モジュールを選択し、前記メールサイズが前記閾値未満である場合には前記セルラー通信モジュールを選択する、請求項３記載の移動体通信端末装置。
【請求項５】
通信相手のアドレスを記述したアドレス帳を記憶手段に記憶し、ユーザ操作により前記記憶手段に記憶されている前記アドレス帳を表示手段に表示するアドレス帳機能を有し、
前記通信モジュール選択手段は、通信開始に先立って前記アドレス帳が前記表示手段に表示されたか否か判定し、前記アドレス帳が前記表示手段に表示された場合には前記ＷＬＡＮ通信モジュールを選択し、前記アドレス帳が前記表示手段に表示されない場合には前記セルラー通信モジュールを選択する、請求項３記載の移動体通信端末装置。
【請求項６】
通信相手の発着信履歴を記憶手段に記憶し、ユーザ操作により前記記憶手段に記憶されている前記発着信履歴を表示手段に表示する発着信履歴表示機能を有し、
前記通信モジュール選択手段は、通信開始に先立って前記発着信履歴が前記表示手段に表示されたか否か判定し、前記発着信履歴が前記表示手段に表示された場合には前記ＷＬＡＮ通信モジュールを選択し、前記発着信履歴が前記表示手段に表示されない場合には前記セルラー通信モジュールを選択する、請求項３記載の移動体通信端末装置。
【発明の詳細な説明】
【技術分野】
【０００１】
本発明は、移動体通信複合端末装置および移動体通信端末装置に関し、詳しくは、複数の通信方式で通信可能なデュアルモード対応の移動体通信複合端末装置および移動体通信端末装置に関する。
【背景技術】
【０００２】
従来、この種の移動体通信複合端末装置および移動体通信端末装置として、複数の無線通信システムに対応した複数の通信制御部と、これらの通信制御部とデータの受け渡しを行う単一のマン・マシン・インターフェース制御部とをもつデュアル端末通信機器が知られている（例えば、特許文献１参照）。
【０００３】
特許文献１記載のデュアル端末通信機器は、マン・マシン・インターフェース制御部の内部に、複数の通信制御部とデータの受け渡しを行う複数の通信管理手段と、これらの通信管理手段を切り替える切り替え手段とを設けている。
【０００４】
このデュアル端末通信機器においては、複数の通信システムの中から、使用目的に合わせて、ユーザのキー操作により、適当な通信システムが選択される。通信システムの切り替えは、切り替えタスクが行う。
【０００５】
すなわち、キーマトリクスからユーザによって入力された操作情報は、マン・マシン・インターフェース制御部のＭＭＩシーケンスに伝達される。ＭＭＩシーケンスは、ユーザが入力した操作情報を切り替えタスクに伝達し、切り替えタスクは、ＡＩＲマネージャの切り替えを行う。そして、ＡＩＲマネージャが切り替えられることにより、選択されるＡＩＲシーケンスが切り替えられ、その結果、ユーザが選択した通信システムに切り替えられる。
【特許文献１】特開平１１−３３１０１２号公報
【発明の開示】
【発明が解決しようとする課題】
【０００６】
しかしながら、前記従来の移動体通信複合端末装置および移動体通信端末装置においては、複数の無線通信システムの中から適当な通信システムを選択する際に、それぞれの無線通信システムを常時起動させておく必要があるため、電流消費が大きくなってしまうという問題がある。
【０００７】
また、従来の移動体通信複合端末装置および移動体通信端末装置においては、複数の無線通信システムの中から適当な通信システムを選択した後に、選択した通信システムの無線の状態をチェックしているため、通信が開始されるまでに時間がかかり電流消費が更に増大されるという問題がある。
【０００８】
本発明は、かかる点に鑑みてなされたもので、電流消費を増大させずに複数の通信モジュールのうちユーザにとって有益な通信モジュールを選択して短時間で通信を開始することができる移動体通信複合端末装置および移動体通信端末装置を提供することを目的とする。
【課題を解決するための手段】
【０００９】
かかる課題を解決するため、本発明の移動体通信複合端末装置は、第１の通信方式により通信を行う第１の通信モジュールと、第２の通信方式により通信を行う第２の通信モジュールと、を備えている複合端末において、前記第２の通信モジュールは、ＷＬＡＮのアクセスポイントを介して通信するＷＬＡＮ通信モジュールからなり、通信開始に先立って優先的に前記ＷＬＡＮ通信モジュールを起動させてＷＬＡＮのアクセスポイントをスキャンする構成を採る。また、本発明の移動体通信端末装置は、第１の通信方式により通信を行う第１の通信モジュールと、第２の通信方式により通信を行う第２の通信モジュールと、通信開始に先立って行われるユーザ操作の内容から前記第１の通信モジュールおよび前記第２の通信モジュールのうちユーザにとって有益な通信方式の通信モジュールを選択する通信モジュール選択手段と、前記通信モジュール選択手段が選択した通信方式の通信モジュールのみを起動させて通信を開始するように通信モジュールを制御する通信制御手段と、を具備する構成を採る。
【発明の効果】
【００１０】
本発明によれば、前記通信モジュール選択手段により通信開始に先立ってユーザにとって有益な通信方式の通信モジュールが選択されるので、通信モジュールを選択する際に通信モジュールを起動させておく必要がなく電流消費を抑えることができる。また、前記通信モジュール選択手段が選択した通信モジュールのみを前記通信制御手段により通信開始に先立って起動させるので、電流消費を増大させずに短時間で通信を開始させることができる。
【発明を実施するための最良の形態】
【００１１】
以下、本発明の実施の形態について、図面を参照して詳細に説明する。なお、各図において同一の構成または機能を有する構成要素及び相当部分には、同一の符号を付してその説明は繰り返さない。
【００１２】
（実施の形態１）
まず、本発明の実施の形態１に係る移動体通信端末装置の説明に先立って、本例の移動体通信端末装置が通信を行う通信システムの構成について説明する。図１は、本発明の実施の形態１に係る移動体通信端末装置が通信を行う通信システムの概略構成図である。図２は、本発明の実施の形態１に係る移動体通信端末装置の要部の構成を示すブロック図である。
【００１３】
図１に示すように、この通信システムは、基地局（ＢＳ）１１０の通信領域であるセルラー通信エリア１１１、およびアクセスポイント（ＡＰ）１２０の通信領域であるＷＬＡＮ(Wireless Local Area Network)通信エリア（ホットスポット）１２１を備えている。
【００１４】
図２に示すように、本例の移動体通信端末装置２００は、セルラー通信エリア１１１で通信可能なセルラー通信モジュール２１０と、ＷＬＡＮ通信エリア１２１で通信可能なＷＬＡＮ通信モジュール２２０とを備えている。
【００１５】
図１において、移動体通信端末装置２００のセルラー通信モジュール２１０は、ＣＤＭＡ（Code Division Multiple Access）方式やＰＤＣ（Personal Digital Cellular）方式などのセルラー無線により、セルラー通信エリア１１１の基地局１１０を介して、セルラー網１３０内に存在する通信相手先の通信端末と通信する。
【００１６】
また、移動体通信端末装置２００のＷＬＡＮ通信モジュール２２０は、ＶｏＩＰ（Voice over Internet Protocol）やＳＩＰ（Session Initiation Protocol）などに基づくＩＰ通信により、ＷＬＡＮ通信エリア１２１のアクセスポイント１２０および通信管理装置としてのサーバー１４０を介して、ＩＰ通信ネットワーク１５０およびセルラー網１３０内に存在する通信相手先の通信端末と通信する。
【００１７】
次に、図２を参照して、本例の移動体通信端末装置２００の構成について説明する。
【００１８】
図２に示すように、本例の移動体通信端末装置２００は、セルラー通信モジュール２１０と、ＷＬＡＮ通信モジュール２２０と、通信制御部２３０と、を備えている。
【００１９】
セルラー通信モジュール２１０は、送信部２１１、受信部２１２、送受信切替スイッチ（ＳＷ）２１３、セルラー無線制御部２１４、電源部２１５を有している。
【００２０】
セルラー通信モジュール２１０は、通信制御部２３０からの指示により電源部２１５がＯＮすることで起動し、セルラー無線制御部２１４により制御される無線部としての送信部２１１および受信部２１２が、送受信切替スイッチ２１３を介してセルラー通信エリア１１１の基地局１１０と交信する。
【００２１】
ＷＬＡＮ通信モジュール２２０は、送信部２２１、受信部２２２、送受信切替スイッチ（ＳＷ）２２３、ＷＬＡＮ無線制御部２２４、電源部２２５を有している。
【００２２】
ＷＬＡＮ通信モジュール２２０は、通信制御部２３０からの指示により電源部２２５がＯＮすることで起動し、ＷＬＡＮ無線制御部２２４により制御される無線部としての送信部２２１および受信部２２２が、送受信切替スイッチ２２３を介してＷＬＡＮ通信エリア１２１のアクセスポイント１２０と交信する。
【００２３】
通信制御部２３０は、セルラー通信Ｉ／Ｆ（インターフェース）回路２３１、ＷＬＡＮＡＰ検索制御部２３２、メールサイズ判定回路２３３、アプリケーション起動制御部２３４を備えている。
【００２４】
アプリケーション起動制御部２３４は、メール作成アプリケーションを起動して、ユーザによる送信メールの作成時の制御が行われる。
【００２５】
メールサイズ判定回路２３３は、ユーザが作成した送信メールのサイズ（データのビット値）が予め設定した閾値Ｍｓ以上であるか否かを判定する。
【００２６】
ここで、閾値Ｍｓは、ユーザが作成した送信メールを、セルラー通信モジュール２１０により送信した場合と、ＷＬＡＮ通信モジュール２２０により送信した場合とで、何れがユーザにとって有益であるかを判断する際の判断基準となる値である。
【００２７】
従って、この閾値Ｍｓは、例えば、ユーザが作成した送信メールの送信にかかる通信料金、通信速度（所要時間）、消費電流などを総合的に判断して、通信端末の仕様や性能に応じて個別に設定することが好ましい。
【００２８】
メールサイズ判定回路２３３の判定により、ユーザが作成した送信メールのサイズが閾値Ｍｓ以上である場合には、ＷＬＡＮ・ＡＰ検索制御部２３２のＷＬＡＮ・ＡＰ検索回路（不図示）が起動して、ＷＬＡＮ通信エリア１２１のアクセスポイント１２０の検索（ＡＰ検索）が実行される。
【００２９】
そして、このＡＰ検索によりアクセス可能なアクセスポイント１２０が検索されると、ＷＬＡＮ・ＡＰ検索制御部２３２によりＷＬＡＮ通信モジュール２２０の電源部２２５がＯＮしてＷＬＡＮ通信モジュール２２０が起動し、ＷＬＡＮ通信モジュール２２０によるメール送信が可能となる。
【００３０】
一方、メールサイズ判定回路２３３の判定により、ユーザが作成した送信メールのサイズが閾値Ｍｓ未満である場合には、通信制御部２３０からの指示により電源部２１５がＯＮしてセルラー通信モジュール２１０が起動し、セルラー通信Ｉ／Ｆ回路２３１を通してセルラー通信モジュール２１０によるメール送信が可能になる。
【００３１】
次に、図３を参照して、本例の移動体通信端末装置２００の動作について説明する。図３は、本発明の実施の形態１に係る移動体通信端末装置の動作を示すフローチャートである。
【００３２】
図３において、本例の移動体通信端末装置２００の動作がスタートし、何らかのユーザ操作（ステップＳＴ３０１）が行われたら、ユーザにより作成された送信メールの有無を判断する（ステップＳＴ３０２）。ここでは、アプリケーション起動制御部２３４によりメール作成アプリケーションが起動され、ユーザによる送信メールの作成が行われているものとする。なお、この時点では、セルラー通信モジュール２１０は待ち受け状態にあり、ＷＬＡＮ通信モジュール２２０は停止した状態にある。
【００３３】
ステップＳＴ３０２において、送信メールが無いと判断した場合にはステップＳＴ３０１に戻ってユーザ操作を継続させ、送信メールが有ると判断した場合には、メールサイズ判定回路２３３により送信メールのサイズが閾値Ｍｓ以上であるか否か判定する（ステップＳＴ３０３）。
【００３４】
ここで、送信メールのサイズが閾値Ｍｓ以上であると判定した場合には、ＷＬＡＮ・ＡＰ検索制御部２３２のＷＬＡＮ・ＡＰ検索回路を起動して、ＷＬＡＮ通信エリア１２１のＡＰ検索を開始する（ステップＳＴ３０４）。
【００３５】
そして、このＡＰ検索によりアクセス可能なアクセスポイント（ＡＰ）が有るか否か判断する（ステップＳＴ３０５）。
【００３６】
ステップＳＴ３０５において、アクセス可能なアクセスポイント１２０が検索された場合には、ＷＬＡＮ通信モジュール２２０とアクセスポイント１２０とのネゴシエーションを確立させる動作を実行する（ステップＳＴ３０６）。
【００３７】
次いで、ＷＬＡＮ通信モジュール２２０とアクセスポイント１２０とのネゴシエーションが確立されたか否かを判断し（ステップＳＴ３０７）、ネゴシエーションが確立されなかった場合にはステップＳＴ３０５に戻り、ネゴシエーションが確立された場合には、ＷＬＡＮ通信モジュール２２０を待ち受け状態にする（ステップＳＴ３０８）。
【００３８】
その後、ユーザによりメール送信キーが押されてＯＮしたか否か判断し（ステップＳＴ３０９）、メール送信キーがＯＮされていない場合にはステップＳＴ３０５に戻り、メール送信キーがＯＮされた場合にはＷＬＡＮ通信モジュール２２０を立ち上げて送信メールを送信する（ステップＳＴ３１０）。
【００３９】
一方、ステップＳＴ３０３において送信メールのメールサイズが閾値Ｍｓ未満であると判定された場合、およびステップＳＴ３０５においてアクセス可能なアクセスポイント（ＡＰ）が無いと判断した場合には、ＷＬＡＮ・ＡＰ検索制御部２３２のＷＬＡＮ・ＡＰ検索回路を停止し、セルラー通信モジュール２１０を起動する（ステップＳＴ３１１）。
【００４０】
その後、ユーザによりメール送信キーが押されてＯＮしたか否か判断し（ステップＳＴ３１２）、メール送信キーがＯＮされた後にセルラー通信モジュール２１０により送信メールを送信する（ステップＳＴ３１３）。
【００４１】
そして、送信メールの送信後、ステップＳＴ３１４によりメール送信が成功したか否か判断し、成功した場合には動作を終了し、成功しなかった場合にはエラー表示をする。
【００４２】
上述のように、本例の移動体通信端末装置２００においては、通信モジュール選択手段としてのメールサイズ判定回路２３３により、送信メールのメール送信（通信開始）に先立って、ユーザにとって有益な通信方式の通信モジュールが選択される。
【００４３】
例えば、送信メールが画像や動画などの添付ファイルがあるメールサイズが閾値Ｍｓ以上の大きなものである場合には、比較安価な定額料金でメール送信可能なＷＬＡＮ通信モジュール２２０がメール送信に先立って選択される。
【００４４】
従って、本例の移動体通信端末装置２００においては、通信モジュールを選択する際にセルラー通信モジュール２１０およびＷＬＡＮ通信モジュール２２０を起動させておく必要がなく電流消費を抑えることができる。
【００４５】
また、本例の移動体通信端末装置２００においては、通信モジュール選択手段としてのメールサイズ判定回路２３３が選択した通信モジュールのみを通信制御手段としての通信制御部２３０により通信開始に先立って起動させるので、電流消費を増大させずに短時間で通信を開始させることができる。
【００４６】
（実施の形態２）
次に、図４を参照して、実施の形態２に係る移動体通信端末装置４００の構成について説明する。
【００４７】
図４に示すように、本例の移動体通信端末装置４００は、図２に示した実施の形態１に係る移動体通信端末装置２００における通信制御部２３０のメールサイズ判定回路２３３を起動モジュール選択回路４１０に置き換え、移動体通信端末装置２００における通信制御部２３０のアプリケーション起動制御部２３４をアプリケーション表示制御部４２０に置き換えた構成を有している。
【００４８】
すなわち、本例の移動体通信端末装置４００における通信制御部２３０は、起動モジュール選択回路４１０、およびアプリケーション表示制御部４２０を備えている。
【００４９】
図４において、起動モジュール選択回路４１０は、アプリケーション表示制御部４２０が起動して、アドレス帳あるいは発着信履歴が移動体通信端末装置４００の表示部（不図示）に表示された場合に、ＷＬＡＮ通信モジュール２２０を起動する選択を行う。
【００５０】
すなわち、ユーザが図示しない記憶手段としてのメモリに格納されているアドレス帳あるいは発着信履歴を表示部に表示させる行為は、ユーザが表示したアドレスまたは発着信履歴にある電話番号の相手と通話を開始することを意味している。
【００５１】
そこで、本例の移動体通信端末装置４００においては、ユーザが相手先と通話を開始するのに先立って、通話料金が安いユーザにとって有益なＷＬＡＮ通信モジュール２２０により通話する選択を行う。
【００５２】
次に、図５を参照して、本例の移動体通信端末装置４００の動作について説明する。図５は、本発明の実施の形態２に係る移動体通信端末装置の動作を示すフローチャートである。
【００５３】
図５において、本例の移動体通信端末装置２００の動作がスタートし、何らかのユーザ操作（ステップＳＴ４０１）が行われたら、移動体通信端末装置４００の表示部にメモリに格納されているアドレス帳あるいは発着信履歴が表示されたか否かを判断する（ステップＳＴ４０２）。なお、この時点では、セルラー通信モジュール２１０は待ち受け状態にあり、ＷＬＡＮ通信モジュール２２０は停止した状態にある。
【００５４】
ステップＳＴ４０２において、移動体通信端末装置４００の表示部にメモリに格納されているアドレス帳あるいは発着信履歴が表示された場合には、ＷＬＡＮ・ＡＰ検索制御部２３２のＷＬＡＮ・ＡＰ検索回路を起動して、ＷＬＡＮ通信エリア１２１のＡＰ検索を開始する（ステップＳＴ４０３）。
【００５５】
そして、このＡＰ検索によりアクセス可能なアクセスポイント（ＡＰ）が有るか否か判断する（ステップＳＴ４０４）。
【００５６】
ステップＳＴ４０４において、アクセス可能なアクセスポイント１２０が検索された場合には、ＷＬＡＮ通信モジュール２２０とアクセスポイント１２０とのネゴシエーションを確立させる動作を実行する（ステップＳＴ４０５）。
【００５７】
次いで、ＷＬＡＮ通信モジュール２２０とアクセスポイント１２０とのネゴシエーションが確立されたか否かを判断し（ステップＳＴ４０６）、ネゴシエーションが確立されなかった場合にはステップＳＴ４０４に戻り、ネゴシエーションが確立された場合には、移動体通信端末装置４００の表示部に表示されたアドレス帳あるいは発着信履歴のうちの通話相手番号（電話番号）が選択されたか否か判断する（ステップＳＴ４０７）。
【００５８】
ここで、通話相手番号が選択されない場合にはステップＳＴ４０４に戻り、通話相手番号が選択された場合には、ユーザにより通話開始キーが押されてＯＮしたか否か判断する（ステップＳＴ４０８）。
【００５９】
そして、ステップＳＴ４０８において、通話開始キーがＯＮされていない場合にはステップＳＴ４０４に戻り、通話開始キーがＯＮされた場合にはＷＬＡＮ通信モジュール２２０を立ち上げて通話相手との送受信（通話）を開始する（ステップＳＴ４０９）。
【００６０】
一方、ステップＳＴ４０２においてアドレス帳あるいは発着信履歴が表示部に表示されなかった場合、およびステップＳＴ４０４においてアクセス可能なアクセスポイント（ＡＰ）が無いと判断した場合には、ＷＬＡＮ・ＡＰ検索制御部２３２のＷＬＡＮ・ＡＰ検索回路を停止し、セルラー通信モジュール２１０を起動する（ステップＳＴ４１０）。
【００６１】
その後、ユーザにより通話相手番号が入力されたか否か判断し（ステップＳＴ４１１）、入力無しの場合にはステップＳＴ４１０に戻り、通話相手番号が入力された場合には、通話開始キーが押されてＯＮしたか否か判断（ステップＳＴ４１２）する。
【００６２】
そして、ステップＳＴ４１２において、通話開始キーがＯＮされていない場合にはステップＳＴ４１０に戻り、通話開始キーがＯＮされた場合にはセルラー通信モジュール２１０により通話相手との送受信（通話）を開始する（ステップＳＴ４１３）。
【００６３】
その後、ユーザが通話終了キーをＯＮしたか否か判断し（ステップＳＴ４１４）、ＯＮした場合に動作を終了する。
【００６４】
上述のように、本例の移動体通信端末装置４００においては、通信モジュール選択手段としての起動モジュール選択回路４１０により、通話相手との通話開始（通信開始）に先立って、ユーザにとって有益な通信方式の通信モジュールが選択される。
【００６５】
従って、本例の移動体通信端末装置４００においては、通信モジュールを選択する際にセルラー通信モジュール２１０およびＷＬＡＮ通信モジュール２２０を起動させておく必要がなく電流消費を抑えることができる。
【００６６】
また、本例の移動体通信端末装置４００においては、通信モジュール選択手段としての起動モジュール選択回路４１０が選択した通信モジュールのみを通信制御手段としての通信制御部２３０により通信開始に先立って起動させるので、電流消費を増大させずに短時間で通信を開始させることができる。
【００６７】
なお、本例の移動体通信端末装置４００においては、通信開始に先立ってユーザにとって安価なＩＰ通信方式のＷＬＡＮ通信モジュール２２０を優先的かつ自動的に選択するようにしているが、最終的に通信する通信モジュールの選択をユーザの判断で行うようにしてもよい。これにより、例えば、車中などの高速移動中に通信する場合などには、アクセスポイント１２０が頻繁に切り替わって通信が途絶えてしまうおそれがあるＷＬＡＮ通信モジュール２２０ではなく、ユーザの判断により安定した通信を行うことができるセルラー通信モジュール２１０を選択することができる。
【産業上の利用可能性】
【００６８】
本発明に係る移動体通信端末装置は、通信モジュールを選択する際に通信モジュールを起動させておく必要がなく電流消費を抑えることができ、また、選択した通信モジュールのみを通信開始に先立って起動させて電流消費を増大させずに短時間で通信を開始させることができるので、複数の通信方式で通信可能なデュアルモード対応の移動体通信端末装置として有用である。
【図面の簡単な説明】
【００６９】
【図１】本発明の実施の形態１に係る移動体通信端末装置が通信を行う通信システムの概略構成図
【図２】本発明の実施の形態１に係る移動体通信端末装置の要部の構成を示すブロック図
【図３】本発明の実施の形態１に係る移動体通信端末装置の動作を示すフローチャート
【図４】本発明の実施の形態２に係る移動体通信端末装置の要部の構成を示すブロック図
【図５】本発明の実施の形態２に係る移動体通信端末装置の動作を示すフローチャート
【符号の説明】
【００７０】
１１０  基地局
１１１  セルラー通信エリア
１２０  アクセスポイント
１２１  ＷＬＡＮ通信エリア
２００，４００  移動体通信端末装置
２１０  セルラー通信モジュール
２１１，２２１  送信部
２１２，２２２  受信部
２１３，２２３  送受信切替スイッチ
２１４  セルラー無線制御部
２１５，２２５  電源部
２２４  ＷＬＡＮ無線制御部
２３０  通信制御部
２３１  セルラー通信Ｉ／Ｆ回路
２３２  ＷＬＡＮ・ＡＰ検索制御回路
２３３  メールサイズ判定回路
２３４  アプリケーション起動制御部
４１０  起動モジュール選択回路
４２０  アプリケーション表示制御部
【図１】
2007082056.tif 000003
【図２】
2007082056.tif 000004
【図３】
2007082056.tif 000005
【図４】
2007082056.tif 000006
【図５】
2007082056.tif 000007